【事件の表示】
　特願２０１６−１５３６５３「フォルダブルディスプレイ用フィルムおよびその製造方法」拒絶査定不服審判事件〔平成３０年　２月　８日出願公開、特開２０１８−　２２０６２〕について、次のとおり審決する。
【結　論】
　本件審判の請求は、成り立たない。
【理　由】
第１　手続の経緯
　本願は平成２８年８月４日の出願であって、その手続の経緯は以下のとおりである。
　令和２年　５月１５日付け　　：拒絶理由通知書
　令和２年　６月　５日　　　　：意見書、手続補正書の提出
　令和２年　９月２３日付け　　：拒絶査定（以下「原査定」という。）
　令和２年１０月２０日　　　　：原査定の謄本の送達
　令和２年１２月２１日　　　　：審判請求書、手続補正書の提出
第２　令和２年１２月２１日にされた手続補正についての補正の却下の決定
［補正の却下の決定の結論］
　令和２年１２月２１日にされた手続補正を却下する。
［補正の却下の決定の理由］
１　本件補正の概要
　令和２年１２月２１日にされた特許請求の範囲及び明細書についての補正（以下「本件補正」という。）は、以下の（１）に示される本件補正前の特許請求の範囲の請求項１の記載を、以下の（２）に示される本件補正後の特許請求の範囲の請求項１の記載に補正することを含むものである。
　下線は、補正箇所を示す。
（１）　本件補正前
「【請求項１】
　紫外線硬化型アクリル系樹脂を含んだ重合性組成物の硬化フィルムからなるフォルダブルディスプレイ用フィルムにおいて、
　前記硬化フィルムの厚みが３０μｍ〜２００μｍであり、
　前記紫外線硬化型アクリル系樹脂は、成分（Ａ）ポリイソシアネート化合物（但し、脂環構造を有するものを除く。）と水酸基含有（メタ）アクリレートとを反応させてなる多官能ウレタン（メタ）アクリレートと、成分（Ｂ）脂環構造を有する２官能（メタ）アクリレートとを含み、
　前記成分（Ａ）の数平均分子量は、２００〜５０００であり、
　前記重合性組成物中の成分（Ａ）の含有量が、前記重合性組成物１００質量％に対して、１０〜５０質量％であり、成分（Ｂ）の含有量が、前記重合性組成物１００質量％に対して、１０〜４０質量％であり、
　前記重合性組成物中の成分（Ａ）の質量（ＭＡ）と成分（Ｂ）の質量（ＭＢ）との質量比（ＭＡ）／（ＭＢ）の範囲が、３０／７０〜７０／３０であり、
　前記硬化フィルムの鉛筆硬度は３Ｈ〜９Ｈであり、屈曲耐久性はφ１０ｍｍ以下である、
フォルダブルディスプレイ用フィルム。」
（２）　本件補正後
「【請求項１】
　紫外線硬化型アクリル系樹脂を含んだ重合性組成物の硬化フィルムからなるフォルダブルディスプレイ用フィルムにおいて、
　前記硬化フィルムの厚みが３０μｍ〜
１
　前記紫外線硬化型アクリル系樹脂は、成分（Ａ）ポリイソシアネート化合物（但し、脂環構造を有するものを除く。）と水酸基含有（メタ）アクリレートとを反応させてなる多官能ウレタン（メタ）アクリレートと、成分（Ｂ）脂環構造を有する２官能（メタ）アクリレートとを含み、
　前記成分（Ａ）の数平均分子量は、２００〜５０００であり、
　前記重合性組成物中の成分（Ａ）の含有量が、前記重合性組成物１００質量％に対して、１０〜５０質量％であり、成分（Ｂ）の含有量が、前記重合性組成物１００質量％に対して、１０〜４０質量％であり、
　前記重合性組成物中の成分（Ａ）の質量（ＭＡ）と成分（Ｂ）の質量（ＭＢ）との質量比（ＭＡ）／（ＭＢ）の範囲が、３０／７０〜７０／３０であり、
　前記硬化フィルムの鉛筆硬度は３Ｈ〜９Ｈであり、屈曲耐久性はφ
２
２　本件補正についての当審の判断
　本件補正は、請求項１に記載された発明を特定するために必要な事項である「硬化フィルムの厚み」について、補正前の「３０μｍ〜２００μｍ」を「３０μｍ〜１００μｍ」に限定するとともに、「屈曲耐久性」について、補正前の「φ１０ｍｍ以下」を「φ２ｍｍ以下」に限定するものである。
　そして、補正前の請求項１に記載された発明と補正後の請求項１に記載される発明の産業上の利用分野及び解決しようとする課題が同一である。そうすると、本件補正は、特許法１７条の２第５項２号に掲げる特許請求の範囲の減縮を目的とするものに該当する。
　そこで、本件補正後の請求項１に係る発明が、同条６項において準用する同法１２６条７項の規定に適合するか（特許出願の際独立して特許を受けることができるものであるか）について、以下、検討する。
（１）　本件補正発明
　本件補正後の請求項１に係る発明（以下「本件補正発明」という。）は、請求項１に記載された事項（前記１（２）参照）により特定されるとおりのものであると認める。
（２）　引用文献等
ア　引用文献１
（ア）　原査定の拒絶の理由で引用された特開２０１５−１８７２１３号公報（平成２７年１０月２９日出願公開。以下「引用文献１」という。）には、次の記載がある（下線は当審が付した。）。
「【００１１】
　本発明は、表面硬度が非常に高く、且つ、
適度なフレキシブル性
「【００２５】
　１．樹脂成形体
　
本発明の樹脂成形体は、（Ａ）ポリイソシアネート化合物（但し、脂環構造を有するものを除く。）と、水酸基含有（メタ）アクリレートとを反応させてなる多官能ウレタン（メタ）アクリレート、及び、（Ｂ）脂環構造を有する２官能（メタ）アクリレートを含有する重合性組成物が硬化してなる樹脂成形体である。」
「【００２９】
　すなわち、本発明の樹脂成形体は、上述の構成であるので、表面硬度が際立って優れると同時に、優れた柔軟性を示すという特性を兼ね備えた樹脂成形体である。
このような特性を兼ね備えた樹脂成形体は、特にタッチパネルやフレキシブルディスプレイ等の分野等で求められており、タッチパネル基板等に有用である。
「【００４９】
　
成分（Ａ）の数平均分子量は、２００〜５０００であることが好ましい。
【００５０】
　樹脂成形体を形成するための重合性組成物中の
成分（Ａ）の含有量は特に限定されないが、重合性組成物１００質量％に対して、１０〜５０質量％であることが好ましく
「【００５９】
　樹脂成形体を形成するための重合性組成物中の
成分（Ｂ）の含有量は特に限定されないが、重合性組成物１００質量％に対して、１０〜４０質量％であることが好ましく
【００６０】
　
前記重合性組成物中の成分（Ａ）の質量（ＭＡ）と成分（Ｂ）の質量（ＭＢ）との質量比（ＭＡ）／（ＭＢ）の範囲は、３０／７０〜７０／３０であることが好ましい。
「【００７６】
　
樹脂成形体のフレキシブル性は、φ１４以下が好ましく、φ１２以下がより好ましい
【００７７】
　上記フレキシブル性は、ＪＩＳ　Ｋ５６００−５−１に準じて屈曲試験器で測定することができる。
「【００９２】
　図１は、上記製造方法の（１）重合体組成物調製工程、（２）重合体組成物塗布工程、（３）ウエットラミネート処理工程、及び（４）硬化工程の一例を示した模式図である。図１において、上記製造方法は、製造装置１００により行われる。
製造装置１００は、重合体組成物を入れるためのトレイ１０２と、軸方向を並行に（紙面に垂直な方向に沿って）互いに所定間隔で対向配置されたバックアップローラ１０３とロールナイフ１０４、ローラ１０５Ａ、１０５Ｂ、及びＵＶ照射装置１０７とで構成される。
「【００９８】
　
ローラ１０５Ａ、１０５Ｂはともに同様の構成を持つローラであって、バックアップローラ１０３とロールナイフ１０４よりも狭い間隙で近接配置されており、これによって重合体組成物層の厚みを調節できるようになっている。
ローラ１０５Ａと１０５Ｂとの間の各隙間は、形成するフィルムの厚みに合わせ、数μｍ以上、数百μｍ以下の範囲で調整できる。
【００９９】
　図１において、ＵＶ照射装置１０７により紫外線が照射される。
ＵＶ照射装置１０７を用いて、上記重合体組成物層１０Ｘを形成する重合体組成物を紫外線照射により硬化させて、フィルム状の樹脂成形体１０Ｃを得ることができる
「【０１１７】
　ラミネートフィルムに、紫外線硬化装置（フュージョンＵＶシステムズ・ジャパン株式会社製　商品名：ＣＶ−１１０Ｑ−Ｇ）を用いて積算照射量１５９７ｍＪ／ｃｍ２の紫外線を照射し、重合性組成物を硬化させた後、両面のＰＥＴフィルムを剥離して、
厚みが２５８μの樹脂成形体
【０１１８】実施例２
成分（Ａ）として、１、６?ヘキサンジイソシアネートの３量体１５０ｇと、ペンタエリスリトールトリアクリレート７７５ｇとを反応させた多官能ウレタン（メタ）アクリレートを用いた以外は実施例１と同様にして、
厚みが２６２μの樹脂成形体
「【０１２７】
【表1】
【０１２８】
　表１の結果から明らかな通り、（Ａ）ポリイソシアネート化合物（但し、脂環構造を有するものを除く。）と、水酸基含有（メタ）アクリレートとを反応させてなる多官能ウレタン（メタ）アクリレート、及び、（Ｂ）脂環構造を有する２官能（メタ）アクリレートを含有する重合性組成物を硬化させて得られた実施例１及び２の樹脂成形体は、上述の成分（Ａ）及び成分（Ｂ）を用い、特に、成分（Ａ）を構成するポリイソシアネート化合物として、脂環構造を有しないポリイソシアネート化合物を用いているので、
鉛筆硬度が９Ｈ
「【図１】
」
（イ）　上記（ア）から、引用文献１には次の発明（以下「引用発明」という。）が記載されていると認められる。
「表面硬度が際立って優れると同時に、優れた柔軟性を示すという特性を兼ね備え、特にタッチパネルやフレキシブルディスプレイ等の分野等で求められる樹脂成形体であって、紫外線照射により硬化させて得られるフィルム状の樹脂成形体において、（【００２９】、【００９９】）
　製造装置１００において、重合体組成物層の厚みを調節できるようになっている調節ローラ１０５Ａと１０５Ｂとの間の各隙間は、形成するフィルムの厚みに合わせ、数μｍ以上、数百μｍ以下の範囲で調整され、（【００９２】、【００９８】、図１）
　前記樹脂成形体は、（Ａ）ポリイソシアネート化合物（但し、脂環構造を有するものを除く。）と、水酸基含有（メタ）アクリレートとを反応させてなる多官能ウレタン（メタ）アクリレート、及び、（Ｂ）脂環構造を有する２官能（メタ）アクリレートを含有する重合性組成物が硬化してなる樹脂成形体であり、（【００２５】）
　前記成分（Ａ）の数平均分子量は、２００〜５０００であることが好ましく、（【００４９】）
　前記重合性組成物中の成分（Ａ）の含有量は、前記重合性組成物１００質量％に対して、１０〜５０質量％であることが好ましく、（【００５０】）
　前記重合性組成物中の成分（Ｂ）の含有量は、前記重合性組成物１００質量％に対して、１０〜４０質量％であることが好ましく、（、【００５９】）
　前記重合性組成物中の成分（Ａ）の質量（ＭＡ）と成分（Ｂ）の質量（ＭＢ）との質量比（ＭＡ）／（ＭＢ）の範囲は、３０／７０〜７０／３０であることが好ましく、（【００６０】）
　前記樹脂成形体の鉛筆硬度は９Ｈであり、（【０１２７】、【０１２８】）
　ＪＩＳ　Ｋ５６００?５?１に準じて屈曲試験器で測定することができるフレキシブル性はφ１２以下が好ましい、（【００７６】、【００７７】）、
フレキシブルディスプレイに有用であるフィルム状の樹脂成形体。」
イ　引用文献２
　同じく原査定に引用された特開２０１２−１６６４８０号公報（平成２４年９月６日出願公開。以下「引用文献２」という。）には、次の記載がある（下線は当審が付した。）。
「【００２１】
　透明基材層４は、電離放射線硬化型の樹脂、中でもアクリル系樹脂が架橋されて硬化した材料からなる層であり、有機高分子セグメント及び無機セグメントを構成要素とする有機?無機共重合体で形成されていることが好ましい。
透明基材層４の厚みは特に限定はないが、耐久性、可撓性などを勘案して
ウ　引用文献３
　特開２００７−８６７７１号公報（平成１９年４月５日出願公開。以下「引用文献３」という。）には、次の記載がある（下線は当審で付した。）。
「【０００１】
　本発明は、
フレキシブルディスプレイ
折り曲げ可能なディスプレイ
「【００５０】
［屈曲性］
　折り曲げ可能なディスプレイでは、内接円直径が３ｍｍ以下で繰り返し曲げられることが好ましい
折り曲げ可能な内接円直径は小さいほどよく、より好適には２ｍｍであり、さらに好ましくは直径１ｍｍである
（３）　対比
ア　本件補正発明と引用発明を対比する。
（ア）　引用発明において「「フィルム状の樹脂成形体」は「紫外線照射により硬化させて得られる」ものであることも踏まえると、引用発明における「（Ａ）ポリイソシアネート化合物（但し、脂環構造を有するものを除く。）と、水酸基含有（メタ）アクリレートとを反応させてなる多官能ウレタン（メタ）アクリレート、及び、（Ｂ）脂環構造を有する２官能（メタ）アクリレートを含有する重合性組成物が硬化してなる樹脂成形体」は、本件補正発明における「紫外線硬化型アクリル系樹脂を含んだ重合性組成物の硬化フィルム」に相当する。
　そうすると、「紫外線硬化型アクリル系樹脂を含んだ重合性組成物の硬化フィルムからなるフォルダブルディスプレイ用フィルム」の発明である本件補正発明と「特にタッチパネルやフレキシブルディスプレイ等の分野等で求められるフィルム状の樹脂成形体」の発明である引用発明は、「紫外線硬化型アクリル系樹脂を含んだ重合性組成物の硬化フィルムからなる折り曲げ可能なディスプレイ用フィルム」の発明である点で共通する。
（イ）　引用発明において「前記樹脂成形体は、（Ａ）ポリイソシアネート化合物（但し、脂環構造を有するものを除く。）と、水酸基含有（メタ）アクリレートとを反応させてなる多官能ウレタン（メタ）アクリレート、及び、（Ｂ）脂環構造を有する２官能（メタ）アクリレートを含有する重合性組成物が硬化してなる樹脂成形体であ」ることは、本件補正発明における「前記紫外線硬化型アクリル系樹脂は、成分（Ａ）ポリイソシアネート化合物（但し、脂環構造を有するものを除く。）と水酸基含有（メタ）アクリレートとを反応させてなる多官能ウレタン（メタ）アクリレートと、成分（Ｂ）脂環構造を有する２官能（メタ）アクリレートとを含」むことに相当する。
（ウ）　引用発明において「前記成分（Ａ）の数平均分子量は、２００〜５０００であることが好まし」いことは、本件補正発明において「前記成分（Ａ）の数平均分子量は、２００〜５０００であ」ることに相当する。
（エ）　引用発明において「前記重合性組成物中の成分（Ａ）の含有量は、前記重合性組成物１００質量％に対して、１０〜５０質量％であることが好ましく」、「前記重合性組成物中の成分（Ｂ）の含有量は、前記重合性組成物１００質量％に対して、１０〜４０質量％であることが好まし」いことは、本件補正発明において「前記重合性組成物中の成分（Ａ）の含有量が、前記重合性組成物１００質量％に対して、１０〜５０質量％であり、成分（Ｂ）の含有量が、前記重合性組成物１００質量％に対して、１０〜４０質量％であ」ることに相当する。
（オ）　引用発明において「前記重合性組成物中の成分（Ａ）の質量（ＭＡ）と成分（Ｂ）の質量（ＭＢ）との質量比（ＭＡ）／（ＭＢ）の範囲は、３０／７０〜７０／３０であることが好まし」いことは、本件補正発明において「前記重合性組成物中の成分（Ａ）の質量（ＭＡ）と成分（Ｂ）の質量（ＭＢ）との質量比（ＭＡ）／（ＭＢ）の範囲が、３０／７０〜７０／３０であ」ることに相当する。
（カ）　引用発明において「樹脂成形体の鉛筆硬度は９Ｈであ」ることは、本件補正発明において「前記硬化フィルムの鉛筆硬度は３Ｈ〜９Ｈであ」ことに相当する。
イ　前記アの結果をまとめると、本件補正発明と引用発明の一致点及び相違点は、次のとおりである。
＜一致点＞
「　紫外線硬化型アクリル系樹脂を含んだ重合性組成物の硬化フィルムからなる折り曲げ可能なディスプレイ用フィルムにおいて、
　前記紫外線硬化型アクリル系樹脂は、成分（Ａ）ポリイソシアネート化合物（但し、脂環構造を有するものを除く。）と水酸基含有（メタ）アクリレートとを反応させてなる多官能ウレタン（メタ）アクリレートと、成分（Ｂ）脂環構造を有する２官能（メタ）アクリレートとを含み、
　前記成分（Ａ）の数平均分子量は、２００〜５０００であり、
　前記重合性組成物中の成分（Ａ）の含有量が、前記重合性組成物１００質量％に対して、１０〜５０質量％であり、成分（Ｂ）の含有量が、前記重合性組成物１００質量％に対して、１０〜４０質量％であり、
　前記重合性組成物中の成分（Ａ）の質量（ＭＡ）と成分（Ｂ）の質量（ＭＢ）との質量比（ＭＡ）／（ＭＢ）の範囲が、３０／７０〜７０／３０であり、
　前記硬化フィルムの鉛筆硬度は３Ｈ〜９Ｈである、折り曲げ可能なフィルム。」
＜相違点＞
＜相違点１＞
　本件補正発明は「フォルダブルディスプレイ用フィルム」であるのに対して、引用発明は「フレキシブルディスプレイに有用であるフィルム状の樹脂成形体」である点。
＜相違点２＞
　本件補正発明の硬化フィルムの厚みは「３０μｍ〜１００μｍ」であるのに対して、引用発明においてはそのような厚さの特定はなく、引用文献１に記載された実施例での樹脂成形体の厚みは２５８μ、２６２μ（【０１１７】、【０１１８】）である点。
＜相違点３＞
　本件補正発明の硬化フィルムの屈曲耐久性は「φ２ｍｍ以下」であるのに対して、引用発明においては「ＪＩＳ　Ｋ５６００?５?１に準じて屈曲試験器で測定することができるフレキシブル性はφ１２以下が好ましい」としている点。
（４）　判断
ア　相違点１について
　前記（２）ウで示した引用文献３の記載において、「フレキシブルディスプレイ」の「折り曲げ可能な内接円直径は小さいほどよく、より好適には２ｍｍであり、さらに好ましくは直径１ｍｍである。」とされていることからも明らかなように、技術常識を踏まえれば、通常「フレキシブルディスプレイ」とは折り畳み可能なディスプレイである「フォルダブルディスプレイ」を含む概念として理解されるべきものであるといえる。また、引用発明の「フレキシブルディスプレイ」において「フォルダブルディスプレイ」が除外されているとする理由もない。
　したがって、相違点１は実質的な相違点ではない。
イ　相違点２及び３について
　前記相違点２と相違点３は技術的に関係しているから、併せて検討する。
　樹脂材料からなるフィルム状成形体について、その表面硬度とフレキシブル性の間にはトレードオフの関係が存在すること、及び、フィルム状成形体の厚さを変更することによってフレキシブル性の度合いを調整することができることは、本願出願前に当業者にとっての技術常識である（引用文献１の段落【００７６】の記載事項「フレキシブル性の評価が低過ぎると、樹脂成形体をフレキシブルディスプレイ等に用いた場合にひびや割れを生じてしまうおそれがあり、フレキシブル性の評価が高過ぎると、樹脂成形体が、タッチパネル等に用いるのに十分な表面硬度を示さないおそれがある。」、及び、引用文献２の段落【００２１】の記載事項「透明基材層４の厚みは特に限定はないが、耐久性、可撓性などを勘案して・・・」を参照。）。
　そうすると、引用発明において、上記技術常識を踏まえて、「フィルム状の樹脂成形体」の具体的な用途に応じて所望の表面硬度とフレキシブル性を実現するために、適切な厚さを選択することは、当業者が当然に実施すべき工程の一つにすぎないといえる。
　また、屈曲耐久性が高いほど望ましことは技術常識であるところ、引用文献３の【００５０】において、「折り曲げ可能なディスプレイでは、内接円直径が３ｍｍ以下で繰り返し曲げられることが好ましい。細く曲げられないディスプレイでは、曲げた後のディスプレイが厚みを持つため好ましくない。折り曲げ可能な内接円直径は小さいほどよく、より好適には２ｍｍであり、さらに好ましくは直径１ｍｍである。」と記載されていことからも明らかなように、「φ２ｍｍ以下」という屈曲耐久性を有することが望ましいことも、技術常識である。
　また、引用発明において「製造装置１００において、重合体組成物層の厚みを調節できるようになっている調節ローラ１０５Ａと１０５Ｂとの間の各隙間は、形成するフィルムの厚みに合わせ、数μｍ以上、数百μｍ以下の範囲で調整され」るという記載があるところ、「３０μｍ〜１００μｍ」の数値範囲は、前記記載の範囲に含まれるものである。
　以上の点を考慮すると、「φ２ｍｍ以下」という屈曲耐久性の値を示すようにするために、厚みを薄くするように調整して、「３０μｍ〜１００μｍ」という厚さに設定することは、当業者が通常検討すべき事項の範囲内のものであるといえる。
　したがって、引用発明及び技術常識に基づいて、前記相違点２及び３に係る本件補正発明の構成とすることは、当業者にとっては通常の創作能力の発揮にすぎず、格別なものではない。
ウ　請求人の主張について
　審判請求人は、審判請求書において「ここで、フィルムの厚みを薄くすれば、その分柔軟性が高まり、屈曲耐久性が向上するとともに、強度の低下が起こります。これについて引用文献１は、『フレキシブル性の評価が高過ぎると、樹脂成形体が、タッチパネル等に用いるのに十分な表面硬度を示さないおそれがある。』と明確に開示しています。そして、屈曲耐久性（フレキシブル性）がφ２ｍｍというのは、マンドレル試験での最高評価です。したがって、引用文献１に触れた当業者は、フレキシブル性が最高評価であるφ２ｍｍは、フレキシブル性の評価が高過ぎると評価します。このため、このようなフレキシブル性が得られるまでに厚みを薄くしすぎることはありません。」と主張している。
　しかしながら、審判請求人の指摘する引用文献１の段落【００７６】の記載は、フィルム状の樹脂成形体においてフレキシブル性と表面硬度の間にはトレードオフの関係が存在するという一般的な性質を説明する記載にすぎず、引用発明において「φ２ｍｍ」の屈曲耐久性を実現する樹脂成形体の厚さを選択することを妨げる記載であるとは認められない。
　よって、上記主張を採用することはできない。
エ　効果について
　前記相違点１〜３を総合的に勘案しても、本件補正発明の奏する効果は、引用発明及び技術常識から予測される範囲内のものにすぎず、格別顕著な効果を認めることはできない。
オ　小括
　したがって、本件補正発明は、引用発明及び技術常識に基づいて当業者が容易に発明することができたものであり、特許法２９条２項の規定により、特許出願の際独立して特許を受けることができたものではない。
（５）　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　したがって、上記補正の却下の決定の結論のとおり決定する。
第３　本願発明について
１　本願発明
　本件補正は前記第２のとおり却下されたので、本願の請求項１〜８に係る発明は、令和２年６月５日に提出された手続補正書により補正された特許請求の範囲の請求項１〜８に記載された事項により特定されるとおりのものであると認められるところ、そのうち、請求項１に係る発明（以下「本願発明」という。）は前記第２の１（１）に示した記載により特定されるとおりのものである。
２　原査定における拒絶の理由の概要
　原査定における拒絶の理由のうち、本願発明についての理由は、本願発明は、以下の引用文献１−２に記載された発明に基づいて、その出願前にその発明の属する技術の分野における通常の知識を有する者が容易に発明をすることができたものであるから、特許法２９条２項の規定により、特許を受けることができない、というものである。
引用文献１：特開２０１５−１８７２１３号公報
引用文献２：特開２０１２−１６６４８０号公報
３　引用文献の記載事項
　引用文献１−２に記載された事項及び引用発明は、前記第２の２（２）ア及びイのとおりである。
４　判断
　本願発明は、前記第２の２で検討した本件補正発明と比較して、「硬化フィルムの厚み」及び「屈曲耐久性」の数値限定の範囲が広いものである。
　ここで、本願発明の発明特定事項を全て含み、さらに「硬化フィルムの厚み」及び「屈曲耐久性」の数値限定の範囲を減縮した本件補正発明が、前記第２の２において説示したとおり、引用発明及び技術常識に基づいて当業者が容易に発明し得たものであるから、本願発明も同様に、引用発明及び技術常識に基づいて当業者が容易に発明することができたものである。
第４　むすび
　以上のとおり、本願発明は、特許法２９条２項の規定により特許を受けることができないから、他の請求項に係る発明について検討するまでもなく、本願は拒絶するべきものである。
　よって、結論のとおり審決する。